(57)【要約】  １つ又はそれ以上のワイヤなどを固定的に束ねるための改善されたケーブル結束具が提供される。本ケーブル結束具は、両頭返し付きインサートが取り付けられたバックル・ハウジングによって形成されるバックルを含む。バックル・ハウジングは、可撓性ケーブル・ストラップの第１の端部を受け入れて着座させるための一端が開いたアンカー・スロットを定めており、返し付きインサートは、その中に該ストラップを把持し保持する。さらに、バックル・ハウジング内には貫通チャネルが形成され、ストラップの反対側の端部即ち自由端部の単一方向の滑り込み通過に対応するようになっており、返し付きインサートは、ストラップの自由端部を把握し保持して、該貫通チャネルに対する引き抜きを防ぐ。本可撓性ストラップは、かなり高温の環境における使用に適したポリエーテルエーテルケトン（ＰＥＥＫ）のような高強度材料から形成されるのがよい。
2007504064.tif 000002
【特許請求の範囲】
【請求項１】
両端の第１の端部及び第２の端部を有する細長い可撓性ストラップと、
バックルと、を備え、
該記バックルが、前記ストラップの第１の端部を受け入れて着座させるための一端が開いたアンカー・スロットと、前記ストラップの第２の端部を滑り込み通過させるための貫通チャネルとを構成するバックル・ハウジングと、前記ストラップの第１の端部を前記アンカー・スロット内に把持し保持するための該アンカー・スロット内の第１のかえしと、該ストラップの第２の端部の単一方向の滑り込み通過を可能にし、該ストラップの第２の端部を把持し保持して前記貫通チャネルに対する引き抜きを防ぐようにする該貫通チャネル内の第２のかえしと、を備え、
前記バックル・ハウジングにおける前記アンカー・スロットが前方方向に開いており、前記第１のかえしが、後方方向に該アンカー・スロットの中に延び、前記第２のかえしが前方方向に前記貫通通路の中に延びている、
ことを特徴とするケーブル結束具。
【請求項２】
前記第１のかえし及び第２のかえしが形成された返し付きインサートをさらに含み、前記バックル・ハウジングが前記返し付きインサートを受け入れて支持するためのポケットを構成する、
請求項１に記載のケーブル結束具。
【請求項３】
前記ポケットが、前記アンカー・スロットと前記貫通チャネルとのほぼ間に形成されている、
請求項２に記載のケーブル結束具。
【請求項４】
前記返し付きインサートが、ばね鋼から形成されている、
請求項２に記載のケーブル結束具。
【請求項５】
前記返し付きインサートが、金属型打ち法により形成されている、
請求項２に記載のケーブル結束具。
【請求項６】
前記返し付きインサートが、前記バックル・ハウジングと係合するための少なくとも１つのフレア状の縁を含み、該返し付きインサートを前記ポケット内に保持する、
請求項２に記載のケーブル結束具。
【請求項７】
前記可撓性ストラップが、押し出しプラスチック材料から形成されている、
請求項１に記載のケーブル結束具。
【請求項８】
前記可撓性ストラップが、高温プラスチック材料から形成されている、
請求項１に記載のケーブル結束具。
【請求項９】
前記可撓性ストラップが、押し出しポリエーテルエーテルケトンから形成されている、
請求項８に記載のケーブル結束具。
【請求項１０】
前記バックル・ハウジングが、一体的なプラスチック成型品からなる、
請求項１に記載のケーブル結束具。
【請求項１１】
前記バックル・ハウジングが、さらに、前記アンカー・スロットの前記開放端に案内ランプをさらに構成している、
請求項１に記載のケーブル結束具。
【請求項１２】
前記バックル・ハウジングが、さらに、前記貫通チャネルの入口端部で案内ランプを構成している、
請求項１に記載のケーブル結束具。
【請求項１３】
前記バックル・ハウジングが、全体として凹状の裏面を構成している、
請求項１に記載のケーブル結束具。
【請求項１４】
前記第１のかえしが、前記アンカー・スロット内で、全体的に後方に角度が付けられて前記ストラップの第１の端部を該アンカー・スロット内に把持して保持し、さらに、前記第２のかえしが、前記貫通チャネル内で、全体的に前方に角度が付けられて前記ストラップの第２の端部の単一方向の滑り込み通過を可能にし、前記ストラップの第２の端部が、該貫通チャネルに対して引き抜かれないように把持して保持する、
請求項１に記載のケーブル結束具。
【発明の詳細な説明】
【技術分野】
【０００１】
本発明は、概略的には、１つ又は２以上の導電性ワイヤ又はケーブルのような細長い部品を比較的きちんとまとめた束の形で、固定的に巻きつけて保持するためのケーブル又はワイヤ結束ストラップ装置に関する。より詳細には、本発明は、選択された長さの可撓性ストラップによる迅速且つ容易な組み立てのために設計されたバックルを含む改善されたケーブル結束具に関し、さらに、このストラップは、かなり高温の環境における使用との適合性を考慮して選ばれたプラスチック材料などから形成することができる。
【背景技術】
【０００２】
ケーブル又はワイヤ結束装置は、当該技術分野において一般に知られており、通例、その一端にバックル部分を伴って一体に形成された細長いストラップ部品を含む成型プラスチック構成を備える。細長いストラップの反対側の端部即ち自由端部は、バックルに形成された開放チャネルを通る滑りによる受け入れに合う断面寸法及び形状を有し、該バックル内部では、鋸歯状の爪部などが、ストラップの長手方向に沿って形成されて、一方向即ち単一方向の変位に対応する連続した鋸歯状のラチェット歯と係合し、ストラップがバックル・チャネルを通って引き抜かれるのを防ぐ。この構成においては、ストラップの自由端を複数の導電性ワイヤなどのような１つ又はそれ以上の細長い部品の周りに巻きつけ、次いで、選択された張力によりバックルを通して引っ張り、ワイヤをコンパクトな束の形で固定的に保持するようにすることができる。
【発明の開示】
【発明が解決しようとする課題】
【０００３】
航空宇宙用途、航空機用途といった幾つかの使用環境においては、ケーブル結束具は、成型プラスチック材料を軟化および／又は部分的に溶解させその構造的一体性に悪影響を及ぼすのに十分な高温に曝され得る。より具体的には、ケーブル結束具は、ナイロン・プラスチックのような熱可塑性材料を射出成型することにより一般に形成されるが、このような材料は、種々の航空機用途及び／又は航空宇宙用途において遭遇され得る約４００−４５０°Ｆの程度の高温にさらされた場合に、構造的一体性を失い、幾らかゴム状になる又は溶解する傾向がある。このような状態になると、可撓性ストラップに形成された成型歯部及び／又はバックルに形成された爪部は強度を失うことがあり、結果として、ケーブル結束具の望ましくない緩み及び／又は潜在的な不具合をもたらす。高温において改善された構造特性を有する代替的なプラスチック材料からケーブル結束具を形成する試みは、部分的には、こうした材料が爪部及び歯部のような必要な表面細部を含むように成型することの難しさのために、これまで一般に成功していない。
【０００４】
従って、特に、高温環境における使用に適したケーブル結束具を提供することに関して、ケーブル結束装置における及びこれに対する、さらに別の改良について多大なニーズが存在する。本発明はニーズを満たし、さらに別の関連する利点を提供する。
【課題を解決するための手段】
【０００５】
本発明によれば、かなり高温の環境における使用に適応された、１つ又は２以上の導電性ワイヤ又はケーブルのような細長い部品を比較的きちんとコンパクトにまとめた束の形で固定的に巻きつけて保持するための改善されたケーブル結束具が提供される。改善されたケーブル結束具は、細長い可撓性ストラップの第１の端部を迅速且つ容易に受け入れて着座させロックするための一端が開いたアンカー・スロットと、該ストラップの対向する端部又は自由端部を単一方向に滑り込み通過させるための貫通チャネルとを構成するバックルを備える。この構成においては、ストラップは、かなり高温の環境との適合性を考慮して選択される材料から形成することができる。所望の場合には、ストラップは、ワイヤなどの束の周りに巻きつけて取り付けに先だって、使用現場のその場でバックルと組み立てることができる。
【０００６】
好ましい形態においては、バックルは、ポリエーテルエーテルケトン（ＰＥＥＫ）又はポリエーテルイミド（ＰＥＩ）のような成型プラスチック材料から構成されて、一端が開いたアンカー・スロット及び貫通チャネルを構成するバックル・ハウジングを備える。バックル・ハウジング内には、両頭返し付きインサートが取り付けられる。返し付きインサートの一方の端部は、部分的にアンカー・スロットの中に延びて、可撓性ストラップの第１の端部の押し嵌めによる受け入れを可能にし、該アンカー・スロットからの引き抜きを防ぐように該第１の端部と係合して保持するように指向的に配向された少なくとも１つの歯部を構成する第１のかえしを含む。同様の方法により、返し付きインサートの第２の端部即ち対向する端部は、部分的に貫通チャネルの中に延びて、可撓性ストラップの対向する端部又は自由端部の滑り込み通過を可能にし、該貫通チャネルに対する逆向きの変位を防ぐように該ストラップの自由端部と係合し保持するように指向的に配向された少なくとも１つの歯部を構成する第２のかえしを含む。ストラップの自由端部は、このようにして、チャネルを通して引くことができ、選択的に引っ張って該ストラップをワイヤなどの束の周りにしっかりと巻きつけることができる。
【０００７】
この構成によって、可撓性ストラップは、かなり高温の環境に露出された場合に、望ましくない緩み又は潜在的な不具合を実質的に伴わずに、かなり高温の環境での使用に適合した材料から形成することができる。好ましい形態においては、可撓性ストラップは、アモルファス状態で押し出され、次いで、熱処理されて、比較的剛性が増した、より結晶性の高い形態となり、約５００°Ｆ以上のオーダーの、かなりの高温に曝される航空機環境及び航空宇宙環境のような、かなり高温の用途における使用に適した高強度のストラップ材料を与えることができる、ポリエーテルエーテルケトン（ＰＥＥＫ）のような押し出し材料から形成される。さらに、返し付きインサートもまた、かなり高温の環境において高い構造的一体性を有する、型打ちされたばね鋼シート・ストックなどのような材料から形成することができる。
【０００８】
可撓性ストラップは、生産施設において、個々のバックルと組み立てるために個々の長さに切断され、次いで、組み立てられた状態で使用場所に出荷することができる。この構成においては、ワイヤなどの束の周りに巻きつけられた状態の各々の組み立てられたケーブル結束具を取り付けた後、バックルを超えて延びる可撓性ストラップのあらゆる余剰部分は、トリムして廃棄することができる。代替的な構成においては、可撓性ストラップは、使用現場まで出荷するために、組み立てられていない複数のバックルをもって、スプールなどの上に支持される細長い長さで与えることができる。取り付けに先立ち、選択された長さのストラップをスプールから切り離し、バックルと現場で組み立てられ、次いで、ワイヤなどの束の周りに巻きつけられた位置関係で取り付けることができる。
【０００９】
本発明の他の特徴及び利点は、一例として本発明の原理を示す添付の図面と併せて、以下の詳細な説明から明らかとなろう。
【発明を実施するための最良の形態】
【００１０】
添付の図面は本発明を示す。
【００１１】
例示的な図面に示すように、全体が参照番号１０で示された改善されたケーブル結束具が、複数の導電性ワイヤ又はケーブル１２（図１）のような１つ又は２以上の細長い物品を、コンパクトにまとめた束の形で、固定的に巻きつけて保持している。改善されたケーブル結束具１０は、バックル１６と組み立てられる細長い可撓性ストラップ１４を備え、該ストラップ１４は、特に、かなり高い温度環境に曝された場合に比較的高い引張強度及び比較的高いクリープ強度を有する材料から構成できるという利点がある。
【００１２】
例示的なケーブル結束具１０は、特に、航空機用途又は航空宇宙用途などにおける使用のために、複数のワイヤ１２などを、比較的きちんとした、順序が整った束の形に保持するように設計される。この点については、バックル１６が、可撓性ストラップ１４の第１の端部に迅速且つ簡単に連結するように設計されて、該ストラップ１４が選択された張力で、束又はワイヤ１２などの周りに巻きつけられた場合にこれを固定的に保持する。バックル１６は、さらに、ストラップの自由端部がバックルを通って逆戻りする、どのような顕著な逆方向運動も実質的には許す即ち可能にすることなく、ストラップ１４の対向する端部即ち自由端部１８の滑り込みによる単一方向の通過に対応する。バックル１６が、このようにしてワイヤ束の周りに巻きつけられた閉ループ構成でストラップ１４と係合し、これを保持することは重要である。バックル１６を通り、これを超えて突出するストラップ１４の自由端部１８は、手又は選択された引張具（図示せず）を用いて、図１及び図２に示されている矢印２０の方向に引張られ、ワイヤ束の周りに固定的に巻きつけられる選択された張力で、ストラップ１４をしっかりと締め付けることが可能である。
【００１３】
本発明の主な特徴によれば、ストラップ１４及びバックル１６は、別個の部品として形成されており、そのことにより、或いは別の場合には、従来型のケーブル結束具のプラスチック射出形成技術及び工程と適合しないことがある押し出しプラスチックといったストラップ材料を使用できるようにする。即ち、ストラップ１４は、かなり高温の環境といった特定の環境条件における使用に適した物理特性を有するプラスチックのような押し出し可能な材料又は押し出し材料から形成することができ、１つの好ましいストラップ材料は、実質的にはアモルファス状態で押し出され、次いで、熱処理されて、より結晶性の高い形態となり、約５００°Ｆ以上のオーダーにおける、かなりの高温において構造的一体性をもった高い引張強度及び高いクリープ強度を示す、ポリエーテルエーテルケトン（ＰＥＥＫ）からなる。この高強度可撓性ストラップ１４は、例えばＰＥＥＫ又はポリエーテルイミド（ＰＥＩ）のような比較的安価なプラスチック材料から、射出形成により形成することができるバックル・ハウジング２２を備えたバックル１６により組み立てることができる。このバックル・ハウジング２２は、ストラップ１４と係合し、保持するためのかえし付きインサート２４を受け入れ、支持するように構成されており、該かえし付きインサート２４もまた、高温度で、比較的高い構造的一体性を有する材料から構成される。かえし付きインサート２４のための１つの好ましい材料は、所望の寸法及び構成に型打ちすることにより形成することができるステンレス鋼ばねシート・ストックのような金属ストリップである。
【００１４】
バックル・ハウジング２２が、図３及び図５ないし図９において、より詳細に示されている。図示されるように、バックル・ハウジング２２は、収容されたワイヤ束（図１）と比較的しっかりと嵌まるように係合するために凹状に形作られた外面すなわち裏面２８を有するベース壁２６を構成する全体的にブロック状の形状を有し、そのことにより、組み立てられたストラップ１４及びバックル１６によって定められる閉ループ内の望ましくない自由空間を最小にするか又はなくす。ベース壁２６の両側の側部からは、一対の対向する側壁３０が直立し、これらの側壁３０の上端は上方壁３２と接合される。以下により詳細に説明するように、ベース壁２６は一対の側壁３０及び上方壁３２と協働して、ストラップ１４と組み立てるための開放端を持ったバックル・ハウジング構造を構成する。
【００１５】
開放端を持つバックル・ハウジング２２の内部は、返し付きインサート２４との組み立てのため、さらに、ストラップ１４との組み立てのために、内表面によってさらに分割される。この点について、図３及び図５ないし図９は、バックル・ハウジング２２が、該ハウジング内部のほぼ前端において横方向に延び、中心に配置された交差ブレース３４を組み入れることを示している。この中心交差ブレース３４は、その後側で、同様にハウジング内部の横方向に延びる、相対的に短いプラットフォーム・セグメント３６と接合されている。このプラットフォーム・セグメント３６の両端は、さらに、一対の後方に延びる下方シェルフ・セグメント３８にそれぞれ接合され、下方シェルフ・セグメント３８は、さらに、側壁３０の内方面に沿って延び、下方向且つ後方に延びる後方案内ランプ４０と合体して、ベース壁２６のほぼ後端即ち後縁部で終端する。
【００１６】
横方向に離間した一対の上方シェルフ・セグメント４２もまた、中心交差ブレース３４の上縁部から、側壁３０の内方面に沿って後方に、下方シェルフ・セグメント３８の上方に離間された位置関係で延びる。このようにして上方シェルフ・セグメント４２は、下方シェルフ・セグメント３８と協働して、以下に説明される、返し付きインサート２４を受け入れて支持する後方に開放したポケット４４を構成する。これらの上方シェルフ・セグメント４２は、全体が下にある後方ランプ４０の前縁部の上方に離間された位置で終端する後端即ち後縁部を有する。さらに、上方シェルフ・セグメント４２は、外方壁３２の内方面即ち下方面の下に離間して設置され、よってこれと協働して、バックル・ハウジング２２の後端と前端との間に連続的に延びる貫通チャネル４６を構成する。
【００１７】
返し付きインサート２４を受け入れ、支持するための後方に開いたポケット４４は、下方シェルフ・セグメント３８及びベース壁２６の上方に離間して設置され、これらと協働して、前方に開いたアンカー・スロット４８を構成する。図３に最も良好に示されるように、ベース壁２６の内方面が、該ベース壁２６の前縁部から上方に且つ後方に案内し即ち導き、アンカー・スロット４８の前方領域を構成する傾斜前方ランプ４９を含むように形作られている。
【００１８】
図４において、型打ちされた金属ばね鋼シート・ストックなどから安価に形成することができる一体的な金属部品を備える返し付きインサート２４の１つの好ましい形態が示されている。図示のように、返し付きインサート２４は、例えば打ち抜きなどによって型打ちし、切断して、１つ又は２以上の上方に且つ前方に延びる歯部５４を有する上向きに角度が付けられたかえし５３と、１つ又はそれ以上の下方に且つ後方に角度が付けられた歯部５６を有する下向きに角度が付けられたかえし５５とを構成する、中心セグメント５２の両側に、一対の細長くほぼ平行な側部レール５０を含む。或いは、当業者であれば、返し付きインサート２４は、特定の意図される使用環境に好適に適合するプラスチック材料などのような他の材料から構成することができることがわかる。
【００１９】
図５及び図７は、後方に開いたポケット４４の中への返し付きインサート２４の取り付けを示しており、該返し付きインサート２４の側部レール５０が、側壁３０に隣接する下方シェルフ・セグメント３８と上方シェルフ・セグメント４２との間に保持された状態にある。この構成においては、返し付きインサート２４の中心セグメント５２は、一対のシェルフ・セグメント３８、４２の間の横方向に開いた空間内に配置され、それにより、上向きに角度が付けられたかえし５３及びその上の歯部５４が、貫通チャネル４６の中に短い距離だけ上方に且つ前方に突出し、下向きに角度が付けられたかえし５５及びその上の歯部５６が、アンカー・スロット４８の中に短い距離だけ下方に且つ後方に突出する。
【００２０】
バックル・ハウジング２２内に返し付きインサート２４が取り付けられて、組み立て済みバックル１６を形成することにより、可撓性ストラップ１４の第１の端部を前方に開いたアンカー・スロット４８内に固定的に着座させ、ロックすることができる。この点については、この連結は、図７ないし図８に示されているように、ストラップ第１の端部を後方にアンカー・スロット４８の中に滑り嵌めして受け入れることによって達成される。下向きに角度が付けられたかえし５５上の歯部５６は、後方に向かって角度が付けられて、ストラップ第１の端部の一方向の滑り嵌めによる受け入れを可能にするが、ストラップ１４と結合し、係合して、ストラップ端部がアンカー・スロット４８からの引き抜かれないように又は引き込まれないように積極的にロックする。ストラップ第１の端部のアンカー・スロット４８への挿入中におけるバックル・ハウジング２２内の望ましくない返し付きインサート２４の後方向への変位は、締め具（図示せず）などを用いて返し付きインサート２４を適当な位置に適切に保持することによって、或いは、（図４の参照番号５８によって示されるように）側部レール５０の後縁又は後角部を、わずかにフレア状にし、即ち広げて、これらの後方角部がバックル・ハウジング２２の側壁３０の内方面と係合し、該側壁３０に対する後方向の変位を阻止するようにすることができる。
【００２１】
その後、可撓性ストラップ１４を束即ちワイヤ１２又は他の細長い部品の周りに巻きつけて、該ストラップの自由端部１８を、次いで、バックル１６に形成された開放チャネル４６を通して単一方向に通すことができる。この点については、後方ランプ４０が、ストラップの自由端部１８を上方向に案内して、貫通チャネル４６の中に及びこれを通る滑り嵌め通過をさせる。ストラップ１４の自由端部１８は、図示されるように（図２）、尖った形状に切断して、チャネル４６の中への及びこれを通る挿入を容易にすることができる。上方向に角度が付けられたかえし５３上の歯部５４は、チャネル４６を通るストラップ１４の比較的自由な前方滑り運動に対応するように前方向に角度が付けられていることが重要である。しかしながら、これらの歯部５４は、ストラップ１４に結合し且つ係合し、チャネル４６に対する後方の引き抜き又は引き込みを防ぐようにストラップ端部を積極的にロックする。ストラップ１４はこのようにして、人為的に又は好適な引張具（図示せず）を用いて、チャネル４６を通って引っ張られ、収容されるべき束の周りに緊密に且つ固定的に巻きつけられた、コンパクトな閉ループにすることができる。
【００２２】
可撓性ストラップ１４は、生産施設において、個々のバックルと組み立てられるために個々の長さに切断され、次いで、組み立てられた状態で使用場所に出荷することができる。この構成においては、ストラップ１４でワイヤなどの束１２の周りに巻きつけられた状態の各々の組み立てられたケーブル結束具１０を取り付けた後、バックル１６を超えて延びる尖った自由端部１８を含む可撓性ストラップのあらゆる余剰部分は、トリムして廃棄することができる。代替的な構成においては、可撓性ストラップ１８は、組み立てられていない形態で使用場所まで出荷するために、関連するバックル・ハウジング２２内に取り付けられた、各々が返し付きインサート２４を含む複数のバックル１６によりスプール（図示せず）などの上に支持される細長い長さで与えることができる。この形態においては、取り付けに先立ち、選択された長さのストラップ１８をスプールから引っ張り出して、現場でバックル１６により組み立てることができる。次いで、選択された長さのストラップ１４をスプールから切り離し、ワイヤなどの束１２の周りに巻きつけられた位置関係で取り付けることができる。そうした現場でのストラップ１４とバックル１６との組み立ては、該ストラップ１４の長さを個別対応で切断し、個別対応で適合させた用途に対応する利点があり、そのことにより、取り付け後にトリムされるあらゆる余剰部分は最小になる。
【００２３】
本発明の改善されたケーブル結束具における、及びこれに対する種々のさらに別の修正及び改善は、当業者には明らかであろう。従って、本発明に対する制限は、特許請求の範囲に示されるものを除き、上記の説明及び添付の図面によっては意図されていない。
【図面の簡単な説明】
【００２４】
【図１】導電性ワイヤ又はケーブルなどの束の周りに巻きつけられた位置関係で取り付けられた状態の、本発明によって構成されたケーブル結束具を示す側面図である。
【図２】図１のケーブル結束具を示す拡大部分斜視図である。
【図３】内部構造の詳細を示すために一部を切り欠いた、図１及び図２のケーブル結束具で用いるバックル・ハウジングの拡大斜視図である。
【図４】図３のバックル・ハウジングの中に取り付けられる返し付きインサートの斜視図である。
【図５】組み立て済みバックルを形成するために、図４の返し付きインサートをバックル・ハウジングの中に取り付けた状態を示す分解断面図である。
【図６】一般に図５の６−６線に沿った水平断面図である。
【図７】バックル・ハウジングによって構成され、開放端を持つアンカー・スロットの中に可撓性ストラップの第１の端部を受け入れて着座させた状態を示す、図５と同様の分解断面図である。
【図８】バックル・ハウジングにより構成された貫通チャネルを通る可撓性ストラップの対向する端部又は自由端部の滑り込みによる受け入れを示す、図７と同様の分解断面図である。
【図９】図２の９−９線に沿った、図８とほぼ同様の断面図である。
【図１】
2007504064.tif 000003
【図２】
2007504064.tif 000004
【図３】
2007504064.tif 000005
【図４】
2007504064.tif 000006
【図５】
2007504064.tif 000007
【図６】
2007504064.tif 000008
【図７】
2007504064.tif 000009
【図８】
2007504064.tif 000010
【図９】
2007504064.tif 000011
【国際調査報告】
2007504064.tif 000012